(57)【特許請求の範囲】
【請求項１】
長尺物が巻かれた巻回体を収容する直方体状に形成された本体部であって、前記巻回体が収容されたときに前記巻回体の軸線と平行になる４つの長方形面のうちの１つが開口した開口面に形成されると共に、前記開口面に対向する前記長方形面を構成する底板と、前記開口面に直交する２つの前記長方形面のうちの一方を構成する後板と、前記後板に対向する前記長方形面を構成する前板と、前記４つの長方形面に直角で前記直方体状の端面を構成する脇板であって前記長方形面よりも面積が小さい脇板と、を有する本体部と；
前記後板の前記開口面と交わる端辺である後板端辺に回動可能に連接された蓋部であって、前記蓋部を閉じたときに、前記開口面を覆う長方形に形成された天板と、前記天板に連接されて前記前板の一部を覆う掩蓋片と、前記天板に連接されて前記脇板の一部を覆う側蓋片と、を有する蓋部とを備え；
前記天板の長方形の面の長手方向の中央部分に、前記軸線に平行で前記長方形の面の図心を通る仮想直線に対して交差するように、線状のエンボスが形成され；
前記エンボスは、前記長方形面の長手方向に直交する方向の長さが、前記長方形面の長手方向に直交する方向の前記天板の長さの０．３〜０．７倍に形成されると共に、両端が前記後板端辺並びに前記天板と前記掩蓋片との交線である折曲線から離れて形成された；
巻回体収容箱。
【請求項２】
前記中央部分が、前記長方形の面の長手方向に３等分した中央の部分の範囲である；
請求項１に記載の巻回体収容箱。
【請求項３】
前記エンボスが、前記長方形の面を長手方向に２等分する仮想分割線を挟むように複数形成された；
請求項１又は請求項２に記載の巻回体収容箱。
【請求項４】
前記エンボスが、前記軸線に直角な方向の長さの、前記軸線に平行な方向の長さに対する比が、２以上に形成された；
請求項１乃至請求項３のいずれか１項に記載の巻回体収容箱。
【請求項５】
前記エンボスが、前記掩蓋片側から前記後板側に進むにつれて一対の前記脇板のうちの近い方の前記脇板に近づくように傾いて形成され；
前記エンボスの傾きは、前記長方形面の長手方向に直交する方向の成分の長さの、前記長方形面の長手方向の成分に対する比が、２以上である；
請求項１乃至請求項４のいずれか１項に記載の巻回体収容箱。
【請求項６】
長尺物が巻かれた巻回体と；
請求項１乃至請求項５のいずれか１項に記載の巻回体収容箱とを備える；
巻回体入り収容箱。
【発明の詳細な説明】
【技術分野】
【０００１】
本発明は巻回体収容箱及び巻回体入り収容箱に関し、特に折れ曲がりを抑制することができる巻回体収容箱及び巻回体入り収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には容器の長手方向中央部を片手で持ち、もう一方の手で先端のフィルムをロールから必要量引き出し、容器の蓋に取り付けられている切断刃で切断する。容器の各面のうちから切断面がどの位置にあるかを、容器を手に持ったときに即座に分かるようにした容器として、ロール状に巻回された包装物の周方向を囲う複数の側面を有した箱体状の容器の、周方向を囲う複数の側面に、切断面に対するそれぞれの位置を示す段差部が、ロール状包装物の軸方向に沿って延びるように設けられているものがある（例えば、特許文献１参照。）。
【先行技術文献】
【特許文献】
【０００３】
【特許文献１】特開２０１０−２６５０３２号公報（図１−図３等）
【発明の概要】
【発明が解決しようとする課題】
【０００４】
しかしながら、容器の側面にロール状包装物の軸方向に沿って延びる段差部を設けると、容器の側面が段差部に沿って折れ曲がってしまうことがあった。
【０００５】
本発明は上述の課題に鑑み、収容箱の中央部を把持している感覚を得られつつ折れ曲がりを抑制することができる巻回体収容箱及び巻回体入り収容箱を提供することを目的とする。
【課題を解決するための手段】
【０００６】
上記目的を達成するために、本発明の第１の態様に係る巻回体収容箱は、例えば図１に示すように、長尺物９１ｆが巻かれた巻回体９１ｒを収容する直方体状に形成された本体部１０であって、巻回体９１ｒが収容されたときに巻回体９１ｒの軸線９１ａと平行になる４つの長方形面のうちの１つが開口した開口面１０ｈに形成されると共に、開口面１０ｈに対向する長方形面を構成する底板１３と、開口面１０ｈに直交する２つの長方形面のうちの一方を構成する後板１４と、後板１４に対向する長方形面を構成する前板１２と、４つの長方形面１０ｈ、１２、１３、１４に直角で直方体状の端面を構成する脇板１５であって長方形面よりも面積が小さい脇板１５と、を有する本体部１０と；後板１４の開口面１０ｈと交わる端辺である後板端辺１８に回動可能に連接された蓋部２０であって、蓋部２０を閉じたときに、開口面１０ｈを覆う長方形に形成された天板２１と、天板２１に連接されて前板１２の一部を覆う掩蓋片２２と、天板２１に連接されて脇板１５の一部を覆う側蓋片２５と、を有する蓋部２０とを備え；天板２１、底板１３、及び後板１４の少なくとも１つに、長方形の面の長手方向の中央部分１ｃに、軸線９１ａに平行で長方形の面の図心２１ｃを通る仮想直線ＳＬに対して交差するように、線状のエンボス２１ｐが形成されている。ここで、中央部分は、巻回体収容箱の長手方向に見て強度の向上が望まれる範囲である。
【０００７】
このように構成すると、エンボスが形成された面の強度を向上させることができて、巻回体収容箱を持ったときにエンボスに沿って折れ曲がることを抑制することができる。また、巻回体収容箱の長手方向中央の部分を握るように巻回体収容箱の使用者を誘導することができる。
【０００８】
また、本発明の第２の態様に係る巻回体収容箱は、例えば図１に示すように、上記本発明の第１の態様に係る巻回体収容箱１において、中央部分１ｃが、長方形の面の長手方向に３等分した中央の部分の範囲である。
【０００９】
このように構成すると、エンボスが形成された面の強度を適切に向上させることができる。
【００１０】
また、本発明の第３の態様に係る巻回体収容箱は、例えば図１に示すように、上記本発明の第１の態様又は第２の態様に係る巻回体収容箱１において、エンボス２１ｐが、長方形の面を長手方向に２等分する仮想分割線ＳＤＬを挟むように複数形成されている。
【００１１】
このように構成すると、中央の強度をより向上させることができる。
【００１２】
また、本発明の第４の態様に係る巻回体収容箱は、例えば図２に示すように、上記本発明の第１の態様乃至第３の態様のいずれか１つの態様に係る巻回体収容箱において、エンボス２１ｐが、軸線９１ａ（例えば図１参照）に直角な方向の長さＰＶの、軸線９１ａ（例えば図１参照）に平行な方向の長さＰＨに対する比（ＰＶ／ＰＨ）が、２以上に形成されている。
【００１３】
このように構成すると、巻回体収容箱がエンボスに沿って折れ曲がってしまうことを防ぐことができ、強度の低下をより抑制することができる。
【００１４】
また、本発明の第５の態様に係る巻回体収容箱は、例えば図１に示すように、上記本発明の第１の態様乃至第４の態様のいずれか１つの態様に係る巻回体収容箱１において、エンボス２１ｐが天板２１に形成されている。
【００１５】
このように構成すると、底板及び後板に比べて強度が低下しがちな天板の強度を向上させることができ、巻回体収容箱を持ったときに天板が折れ曲がってしまうことを抑制することができる。
【００１６】
また、本発明の第６の態様に係る巻回体入り収容箱は、例えば図１に示すように、長尺物が巻かれた巻回体９１ｒと；上記本発明の第１の態様乃至第５の態様のいずれか１つの態様に係る巻回体収容箱１とを備える。
【００１７】
このように構成すると、長方形面の強度が向上した巻回体入り収容箱となる。
【発明の効果】
【００１８】
本発明によれば、エンボスが形成された面の強度を向上させることができて、巻回体収容箱を持ったときにエンボスに沿って折れ曲がることを抑制することができる。また、巻回体収容箱の長手方向中央の部分を握るように巻回体収容箱の使用者を誘導することができる。
【図面の簡単な説明】
【００１９】
【図１】（Ａ）は本発明の実施の形態に係るラップカートンを含むラップ入りカートンの斜視図、（Ｂ）は本発明の実施の形態に係るラップカートンの平面図である。
【図２】蓋エンボスまわりの蓋板の部分平面図である。
【図３】本発明の実施の形態に係るラップカートンを底板及び後板が表れる方向から見た斜視図である。
【発明を実施するための形態】
【００２０】
以下、図面を参照して本発明の実施の形態について説明する。なお、各図において互いに同一又は相当する部材には同一あるいは類似の符号を付し、重複した説明は省略する。
【００２１】
まず図１を参照して、本発明の実施の形態に係る、巻回体収容箱としてのラップカートン１、及びラップカートン１に巻回体としてのラップロール９１ｒが収容された巻回体入り収容箱としてのラップ入りカートン１００を説明する。図１（Ａ）は、ラップ入りカートン１００の斜視図、図１（Ｂ）はラップカートン１の平面図である。図１（Ａ）は、開蓋状態を示している。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍに形成されている。ラップカートン１は、ラップロール９１ｒを収容する本体部１０と、本体部１０に連接された蓋部２０とを備えている。
【００２２】
本体部１０は、未使用のラップロール９１ｒを収容できる大きさの直方体に対して、細長い面の１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されており、本実施の形態では幅４４ｍｍ、高さ４４ｍｍ、長さ３１０ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、前板１２、底板１３、後板１４の各々よりも面積が小さく、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００２３】
脇板１５の上端の中央部分には、３ｍｍ程度上方に延びた小片が外側に折り返されて形成された突起１５ｐが設けられている。突起１５ｐは、２つあるそれぞれの脇板１５の上端に設けられている。また、本体部１０は、前板端辺１９で前板１２と連続する副板１６を有している。前板端辺１９は、前板１２と開口面１０ｈとが交わる部分の前板１２の端辺である。副板１６は、前板１２と略同じ大きさであるが底板１３とは接しておらず、前板１２よりも本体部１０の内側に設けられている。副板１６は、底板１３側の端辺が、長手方向に沿って前板１２に接着されている。
【００２４】
蓋部２０は、本体部１０の開口面１０ｈを塞ぐ部材である。蓋部２０は、天板としての蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２５】
掩蓋片２２は、折曲辺２１ｆを介して蓋板２１と直交し、蓋部２０を閉じたときに底板１３に向かって延びるように設けられている。掩蓋片２２は、ラップロール９１ｒの軸線９１ａが延びる方向（以下「軸線方向Ｄ」という。）の両端における高さ（長方形の前板１２の短辺方向の長さ）が、前板１２の短辺方向の長さの約１／２で、軸線方向Ｄの中央部の高さが、前板１２の短辺方向の長さの約３／４となっている。このような構成により、折曲辺２１ｆに対向する先端辺２２ｔがＶ字状に形成されることとなる。掩蓋片２２は、蓋部２０が閉じられたときに、前板１２に沿って前板１２の外側に重なり、前板１２の上部を五角形状に覆うこととなる。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２６】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。この基本形状を基に、側蓋片２５は、底板１３側の辺と後板１４側の辺とが交わる角部が、丸みを帯びている。この角部の丸みは、半径を１５〜１６ｍｍ、中心角を９０°とする円弧である。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、脇板１５の上端に設けられた突起１５ｐが嵌ることとなる。上述のように構成された蓋部２０は、閉じたときに、本体部１０の開口１０ｈに覆い被さり、掩蓋片２２が前板１２の上部を覆うようになっている。
【００２７】
本体部１０及び蓋部２０は、本実施の形態では、約０．４５〜０．７ｍｍ厚のコートボール紙が加工されて形成されている。本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、全体に表面処理が施されている。
【００２８】
ラップカートン１は、前板１２の上部中央に、フラップ１２ｆが形成されている。フラップ１２ｆは、本実施の形態では、軸線方向Ｄの長さが前板１２（以下、単に前板１２というときは、フラップ１２ｆ等を含めた長方形の前板１２全体をいう。）の長さの約１／３、高さ方向の長さが前板１２の長さの約１／２に形成されている。フラップ１２ｆは、輪郭が、前板端辺１９を概ね３等分する点の一方から、底板１３側かつ遠い方の脇板１５側に進みつつ、上記概ね３等分する点の他方に至るように、前板１２の面内が切断されることで形成されている。フラップ１２ｆの下側の辺は、３つの凸部ができるような波形に形成されている。フラップ１２ｆは、前板端辺１９で副板１６と連接しており、前板端辺１９を回転軸線として回動することができるように構成されている。フラップ１２ｆの概ね図心部分には、保持部１２ｆｓが設けられている。保持部１２ｆｓは、ＵＶニスが塗布されることで形成されている。保持部１２ｆｓを形成するＵＶニスは、ラップフィルム９１ｆに対して付着するが、紙や埃等は付着しない特性を有している。フラップ１２ｆは、蓋部２０を閉じたときに掩蓋片２２に覆われて外面に表れない大きさに形成されている。
【００２９】
ラップカートン１は、さらに、蓋板２１に、線状のエンボスとしての蓋エンボス２１ｐが形成されている。蓋エンボス２１ｐは、仮想直線ＳＬに対して交差する向きに形成されている。仮想直線ＳＬは、軸線方向Ｄに平行で蓋板２１の図心２１ｃを通る仮想の直線である。蓋エンボス２１ｐは、本実施の形態では、仮想分割線ＳＤＬを挟んで、片方に２本ずつ、合計４本が形成されている。仮想分割線ＳＤＬは、仮想直線ＳＬに直交して図心２１ｃを通る仮想の直線であり、蓋板２１を長手方向に２等分する直線でもある。２本ずつの蓋エンボス２１ｐは、仮想分割線ＳＤＬを軸として、線対称に形成されている。４本の蓋エンボス２１ｐは、軸線方向Ｄの中程の中央部分としての中央エリア１ｃの中に形成されている。中央エリア１ｃは、軸線方向Ｄに見てラップカートン１の強度の向上が望まれる範囲であり、ラップカートン１の軸線方向Ｄの全長が長いほど広くするとよく、また、ラップカートン１の使用者によって通常把持されることが予想される範囲とすることが好ましく、切断刃２３がＶ字状に設けられている本実施の形態では、ラップカートン１を軸線方向Ｄに３等分したエリアのうちの真ん中の部分としている。
【００３０】
ここで図２を参照して、蓋エンボス２１ｐのさらに詳しい構成を説明する。図２は、蓋エンボス２１ｐまわりの蓋板２１の部分平面図である。１本あたりの蓋エンボス２１ｐは、軸線方向Ｄに離れた２つの輪郭線２１ｐＣ、２１ｐＣの間の距離が、概ね２．５ｍｍとなっている。蓋エンボス２１ｐは、輪郭線２１ｐＣを境界として、２つの輪郭線２１ｐＣ、２１ｐＣの間の部分が本体部１０の外側に凸になるように、エンボス加工が施されている。蓋エンボス２１ｐの長手方向の両端は、輪郭線が形成されておらず滑らかに蓋板２１に合流している。蓋エンボス２１ｐは、軸線方向Ｄに直交する方向の長さが、同方向における蓋板２１の長さの０．３〜０．７倍程度であることが好ましいところ、本実施の形態では０．４倍に形成されている。
【００３１】
また、蓋エンボス２１ｐは、仮想分割線ＳＤＬと脇板１５（図１参照）との間で見て、掩蓋片２２側から後板１４側に進むにつれて脇板１５に近づくように傾いている。蓋エンボス２１ｐの傾きは、蓋板２１が軸線方向Ｄに直交する方向に反るように折れ曲がるのを抑制する観点から、軸線方向Ｄに直交する成分の長さである直交長さＰＶの、軸線方向Ｄに平行な成分の長さである平行長さＰＨに対する比（ＰＶ／ＰＨ）を、２以上とするとよく、本実施の形態では概ね３．６としている。蓋エンボス２１ｐは、軸線方向Ｄに対して直角に延びていてもよい。さらに本実施の形態では、蓋エンボス２１ｐが、仮想分割線ＳＤＬ側に盛り上がるように曲線状に形成されており、その曲線は半径４５ｍｍの円弧に形成されている。
【００３２】
蓋エンボス２１ｐは、後板１４側の端部で見て、仮想分割線ＳＤＬに隣接するものが仮想分割線ＳＤＬから概ね１５ｍｍ（蓋板２１の短辺の長さの概ね１／３）離れており、脇板１５側のものが隣接するものから概ね１５ｍｍ離れて形成されている。本実施の形態では、線対称のものを同形と見ると、４本の蓋エンボス２１ｐのそれぞれが、同じ形状になっている。蓋エンボス２１ｐは、軸線方向Ｄを横にして蓋板２１を平面に見たときに縦方向に延びているため、これを縦エンボスと表現することもある。なお、蓋エンボス２１ｐの形状は、上述の例に限らず、例えば曲がりのない直線状としてもよく、軸線方向Ｄに直交する方向に対して傾きがなくてもよい。
【００３３】
次に図３を参照して、底板１３及び後板１４の態様について説明する。図３は、ラップカートン１の底板１３及び後板１４が表れる方向から見た斜視図である。底板１３には、軸線方向Ｄに平行に延びる底エンボス１３ｅが、本体部１０の内側に凸となる（外側は凹んでいる）ように２本形成されている。後板１４には、軸線方向Ｄに平行に延びる後エンボス１４ｅが、本体部の外側に凸となるように２本形成されている。底エンボス１３ｅ及び後エンボス１４ｅは、共に、中央エリア１ｃに形成されているが、軸線方向Ｄに平行であるため縦エンボスではない。以下、軸線方向Ｄに平行に延びるエンボスを横エンボスということもある。底板１３及び後板１４は、共に、四方が比較的強固な面に連接されているために曲がりやたわみが比較的少ないので、本実施の形態では比較的製造が容易な横エンボスを形成することとしている。底エンボス１３ｅの長さは、後エンボス１４ｅの長さよりも長く形成されている。
【００３４】
引き続き図１乃至図３を参照して、ラップ入りカートン１００の作用を説明する。ラップカートン１の作用は、ラップ入りカートン１００の作用の一環として説明する。未開封のラップ入りカートン１００は、掩蓋片２２の先端に、先端辺２２ｔ上のミシン目（不図示）を介して切取片（不図示）が接続されており、切取片（不図示）は前板１２に複数の点で接着されている。ラップフィルム９１ｆを初めて使用する際は、切取片（不図示）を、前板１２から剥がしつつミシン目（不図示）で切断して掩蓋片２２から分離する。このようにラップカートン１を開封することで、蓋部２０が本体部１０に対して後板端辺１８まわりに回動可能な状態となる。
【００３５】
開封されたラップ入りカートン１００は、本体部１０の中にラップロール９１ｒが入っている。ラップロール９１ｒには、ラップフィルム９１ｆの先端に引出シール（不図示）が貼り付けられており、引出シール（不図示）を摘んで引き出すことでラップフィルム９１ｆの先端がラップロール９１ｒから剥離し、容易にラップフィルム９１ｆを引き出すことができる。ラップフィルム９１ｆを使用する際は、ラップカートン１を片手で持ち、もう一方の手でラップフィルム９１ｆの先端を摘み、ラップロール９１ｒからラップフィルム９１ｆを必要な長さ分引き出して切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラップフィルム９１ｆがよじれることなくきれいに切断することができ、好適である。
【００３６】
上述の好ましい態様でラップフィルム９１ｆを切断するには、ラップカートン１の中央エリア１ｃを持つのが好適であるところ、ラップカートン１は蓋板２１、底板１３、及び後板１４の各中央エリア１ｃに、それぞれ、蓋エンボス２１ｐ、底エンボス１３ｅ、後エンボス１４ｅが形成されているので、ラップカートン１を握る際は中央エリア１ｃを握るように使用者を誘導することができる。なお、底板１３及び後板１４は、上述のように、共に、四方が比較的強固な面に連接されている。これに対し、蓋板２１は、後板端辺１８の反対側で掩蓋片２２に連接しているが、掩蓋片２２は先端辺２２ｔがラップカートン１の使用時には自由端となっているため外力によって変形しやすく、変形しやすい掩蓋片２２に連接されている蓋板２１も、底板１３及び後板１４に比べて外力によって変形しやすくなっている。この点、ラップカートン１では、蓋板２１に縦エンボスである蓋エンボス２１ｐが形成されているので、上述の好ましい態様でラップフィルム９１ｆを切断する際に最も荷重が掛かる中央エリア１ｃにおける、この荷重に対する抗力（曲がりを抑制する力）が横エンボスを形成した場合よりも大きくなり、ラップカートン１の損傷（へこみ等）を抑制することができる。
【００３７】
切断された後に前板１２と掩蓋片２２との間に挟まれているラップフィルム９１ｆは、保持部１２ｆｓに付着しているため、ラップロール９１ｒへの巻き戻りが防止される。また、次回ラップフィルム９１ｆを使用する際に、蓋部２０を開けると、フラップ１２ｆが前板１２から浮いているので、保持部１２ｆｓに付着しているラップフィルム９１ｆの先端も前板１２から浮くこととなり、摘みやすい。
【００３８】
以上の説明では、中央エリア１ｃが、ラップカートン１を軸線方向Ｄに３等分したエリアのうちの真ん中の部分であるとしたが、この範囲に限らず、ラップカートンの使用者によって通常把持されることが予想される範囲を考慮して決定するとよい。例えば、切断刃が、Ｖ字状ではなく、軸線方向Ｄに平行に延びる直線状に形成されている場合、一般に切断刃の端からラップフィルム９１ｆを切断するため、Ｖ字状の場合に比べて軸線方向Ｄの端部寄りを把持する場合が多く、使用者によって把持されるエリアが比較的広くなるため、ラップカートン１を軸線方向Ｄに４等分したエリアのうちの真ん中の２区分を中央エリア１ｃとすることが好ましい。
【００３９】
以上の説明では、縦エンボス（蓋エンボス２１ｐ）が４本形成されているとしたが、４本に限らず、ラップカートン１の軸線方向Ｄの長さや中央エリア１ｃの面積等に応じて、２本、５本、６本、８本等、適切な本数を形成するとよい。
【００４０】
以上の説明では、蓋板２１に形成されている蓋エンボス２１ｐが縦エンボスであり、底板１３及び後板１４に形成されている底エンボス１３ｅ及び後エンボス１４ｅが横エンボスであるとしたが、縦エンボスは、蓋板２１、底板１３及び後板１４の少なくとも１つの中央部分に形成されていればよく、縦エンボスが形成されていない面には、横エンボスを形成してもよく、エンボスが形成されていないフラットな面のままとしてもよい。しかしながら、蓋板２１に縦エンボスが形成されていると、ラップカートン１を持ったときに荷重が蓋板２１に掛かる場合に、この荷重に対する抗力（曲がりを抑制する力）を発揮する強度が得られるため、好適である。また、中央エリア１ｃの外側の両方の端エリア１ａ、１ｂには、滑り止めの効果を奏する段差部を適宜形成してもよい。段差部は、典型的にはエンボスで形成され、縦エンボスと同様に仮想直線ＳＬに対して交差する形態であってもよい。
【符号の説明】
【００４１】
１    ラップカートン
１ｃ  中央エリア
１０  本体部
１０ｈ  開口面
１２  前板
１３  底板
１４  後板
１５  脇板
１８  後板端辺
２０  蓋部
２１  蓋板
２１ｃ  図心
２１ｐ  蓋エンボス
２２  掩蓋片
２５  側蓋片
９１ａ  軸線
９１ｆ  ラップフィルム
９１ｒ  ラップロール
１００  ラップ入りカートン
ＳＬ  仮想直線
ＳＤＬ  仮想分割線
ＰＶ  直交長さ
ＰＨ  平行長さ
【図１】
0005762880.tif 000002
【図２】
0005762880.tif 000003
【図３】
0005762880.tif 000004